(57)【要約】【課題】光情報貯蔵媒体のデータ記録装置をおよび光情報再生装置を提供する。【解決手段】本発明の光情報貯蔵媒体は、少なくとも１つの記録ブロックに含まれたデータが順次に記録されている。記録ブロック内には複数個のエラー訂正ブロックを各々構成する複数個のセクタの識別子が、前記エラー訂正ブロックが均等に選択されるように順次に抽出されて一定の間隔に１つずつ配されており、この識別子に対応するセクタに属するエラー訂正符号化されたメインデータがインターリーブされている。【選択図】図４
2004273113.tif 000002
【特許請求の範囲】
【請求項１】
光情報貯蔵媒体にメインデータを記録する記録装置において、
メインデータをエラー訂正符号化してエラー訂正ブロックを複数個生成するＥＣＣエンコーダと、
隣接する識別子が異なるエラー訂正ブロックからのものであるように記録ブロックを生成するために、いくつかのエラー訂正ブロックの識別子を抽出して配するインターリーバと、
生成された記録ブロックを変調する変調部と、
変調された記録ブロックを記録する記録部とを含み、
各エラー訂正ブロックは、セクタを備え、各セクタは、識別子を持つことを特徴とするデータ記録装置。
【請求項２】
前記インターリーバは、
前記識別子を交互に均等に抽出して一定の間隔に配列し、
配列された識別子に対応するセクタに属するエラー訂正符号化されたメインデータをインターリーブすることを特徴とする請求項１に記載のデータ記録装置。
【請求項３】
前記インターリーバは少なくとも１つの行単位でインターリーブすることを特徴とする請求項２に記載のデータ記録装置。
【請求項４】
前記インターリーバはセクタの少なくとも一部を単位でインターリーブすることを特徴とする請求項２に記載のデータ記録装置。
【請求項５】
光情報貯蔵媒体にメインデータを記録する装置において、
メインデータをエラー訂正符号化して第１及び第２エラー訂正ブロックを生成するＥＣＣエンコーダと、
前記第１エラー訂正ブロックの最初のセクタの識別子を最初の識別子として配し、前記第２エラー訂正ブロックの最初のセクタの識別子を次の識別子として配し、前記第１エラー訂正ブロックの２番目のセクタの識別子を次の識別子として配し、前記第２エラー訂正ブロックの２番目セクタの識別子を次の識別子として配し、前記第１及び第２エラー訂正ブロックの残りのセクタに対してその識別子を同一に配し、
前記第１及び第２エラー訂正ブロックの最初のセクタに属するエラー訂正符号化されたメインデータは配された最初の識別子及び次の識別子に順次に対応するようにインターリーブし、前記第１及び第２エラー訂正ブロックの２番目のセクタに属するエラー訂正符号化されたメインデータは配された次の２つの識別子に対応するようにインターリーブし、前記第１及び第２エラー訂正ブロックの残りのセクタに属するエラー訂正符号化されたメインデータも同様にインターリーブして記録ブロックを生成するインターリーバと、
前記記録ブロックを変調する変調部と、
変調された記録ブロックを記録する記録部とを含むことを特徴とするデータ記録装置。
【請求項６】
前記インターリーバは前記識別子を一定の間隔をおいて配することを特徴とする請求項５に記載のデータ記録装置。
【請求項７】
前記インターリーバは少なくとも１つの行単位でインターリーブすることを特徴とする請求項６に記載のデータ記録装置。
【請求項８】
前記インターリーバはセクタの少なくとも一部を単位でインターリーブすることを特徴とする請求項６に記載のデータ記録装置。
【請求項９】
光情報再生装置において、
光情報貯蔵媒体の記録ブロックからデータを読み出すための読み出しユニットと、
前記読み出したデータを復調するための復調ユニットと、
前記復調したデータをデコーディングするためのエラー訂正デコーディングユニットと
を備え、
いくつかのエラー訂正ブロックからの識別子は、記録ブロック内に交互に配列され、各エラー訂正ブロックは、対応する識別子を持った複数のセクタを含むことを特徴とする光情報再生装置。
【請求項１０】
前記エラー訂正デコーディングユニットは、
複数の再生したエラー訂正ブロックを生成するために、前記記録ブロックをデインターリーブするためのデインターリーバと、
前記復調したデータをエラー訂正符号でデコーディングして、メインデータにし、前記メインデータを出力するエラー訂正デコーダと
を備えることを特徴とする請求項９記載の光情報再生装置。
【請求項１１】
前記復調は、前記記録ブロックの変調によって実行されることを特徴とする請求項９記載の光情報再生装置。
【発明の詳細な説明】
【技術分野】
【０００１】
本発明はエラー訂正分野に係り、特にＨＤ−ＤＶＤ（Ｈｉｇｈ Ｄｅｆｉｎｉｔｉｏｎ ＤＶＤ）フォーマットに適用可能な光情報貯蔵媒体、データ記録装置及びそのデータ記録方法に関する。
【背景技術】
【０００２】
１９９８年１１月に米国で適用されたＡＴＳＣ（Ａｄｖａｎｃｅｄ Ｔｅｌｅｖｉｓｉｏｎ Ｓｙｓｔｅｍｓ Ｃｏｍｍｉｔｔｅｅ）規格によるデジタル地上波放送を始めに世界各国はデジタル放送の商用化を目前にしている。しかし、現在使われているＤＶＤは４.７ＧＢないし１０ＧＢの容量を有するためにデジタル放送を通じて受信される約２時間分の映画一編（約２５ＧＢ）を１枚のディスクに記録できない。これにより、映画一編分量のデジタル放送を記録できる高密度記録媒体が要求されている。
【０００３】
記録密度を高めるための方法として代表的なものはデータの記録/読出に使われているレーザービームの大きさを縮めることである。レーザービームの半径が小さいほどデータが記録される情報トラックをさらに稠密に形成可能になって記録密度が高まる。但し、レーザービームの半径が縮まれば記録/読出に使われる光量が少なくなり、よってディスク面の傷やホコリの影響が相対的に大きくなる。すなわち、データ記録/読出においてエラー発生率が大きくなる問題点がある。
【発明の開示】
【発明が解決しようとする課題】
【０００４】
したがって、本発明の目的は、高密度記録媒体に適用可能にデータ記録/読出においてエラー訂正率がさらに高い光情報貯蔵媒体、データ記録装置及びデータ記録方法を提供することである。
本発明の他の目的は、エラー発生率がさらに低く、かつメインデータの高速探索が可能な光情報貯蔵媒体、データ記録装置及びデータ記録方法を提供することである。
本発明のさらに他の目的は既存のＤＶＤフォーマットと互換可能で、かつエラー訂正率がさらに高い光情報貯蔵媒体、データ記録装置及びデータ記録方法を提供することである。
【課題を解決するための手段】
【０００５】
前記目的は、本発明によって、少なくとも１つの記録ブロックに含まれたデータが順次に記録された光情報貯蔵媒体において、前記記録ブロック内には複数個のエラー訂正ブロックを各々構成する複数個のセクタの識別子が前記エラー訂正ブロックが均等に選択されるように順次に抽出されて一定の間隔をおいて配されていることを特徴とする光情報貯蔵媒体により達成される。
【０００６】
前記記録ブロックは所定の変調方式で変調されて記録されており、前記記録ブロック内には前記エラー訂正ブロックが均等に選択されるように順次に抽出された前記識別子が一定の間隔に１つずつ配されており、配された各識別子に対応するセクタに属するエラー訂正符号化されたメインデータがインターリーブされていることが望ましい。
この際、前記エラー訂正符号化されたメインデータは少なくとも１つの行単位でインターリーブされたり、セクタの少なくとも一部を単位でインターリーブされうる。
【０００７】
また、前記目的は、少なくとも１つの記録ブロックに含まれたデータが順次に記録された光情報貯蔵媒体において、前記記録ブロック内には第１エラー訂正ブロックの最初のセクタの識別子が最初の識別子として配されており、前記第２エラー訂正ブロックの最初のセクタの識別子は次の識別子として配されており、前記第１エラー訂正ブロックの２番目のセクタの識別子はその次の識別子として配されており、前記第２エラー訂正ブロックの２番目のセクタの識別子はその次の識別子として配されており、前記第１及び第２エラー訂正ブロックの残りのセクタに対する識別子も同様に配されており、前記第１及び第２エラー訂正ブロックの最初のセクタに属するエラー訂正符号化されたメインデータは配された最初の識別子及び次の識別子に順次に対応するようにインターリーブされており、前記第１及び第２エラー訂正ブロックの２番目のセクタに属するエラー訂正符号化されたメインデータはその次の２つの識別子に対応するようにインターリーブされており、前記第１及び第２エラー訂正ブロックの残りセクタに属するエラー訂正符号化されたメインデータも同様にインターリーブされていることを特徴とする光情報貯蔵媒体によっても達成される。
【０００８】
前記記録ブロック内の識別子は一定の間隔に配されており、前記エラー訂正符号化されたメインデータは少なくとも１つの行単位でインターリーブされたり、セクタの少なくとも一部を単位でインターリーブされうる。
一方、本発明の他の分野によれば、前記目的は、光情報貯蔵媒体にメインデータを記録する方法において、（ａ）メインデータをエラー訂正符号化してエラー訂正ブロックを複数個生成する段階と、（ｂ）生成されたエラー訂正ブロックを各々構成する複数個のセクタの識別子が一定の間隔をおいて配された記録ブロックを生成する段階とを含むことを特徴とするデータ記録方法によっても達成される。
【０００９】
前記（ｂ）段階は、（ｂ１）前記エラー訂正ブロックが均等に選択されるように順次に抽出された前記識別子が一定の間隔に１つずつ配する段階と、（ｂ２）前記（ｂ１）段階で配された各識別子に対応するセクタに属するエラー訂正符号化されたメインデータをインターリーブする段階とを含み、前記（ｂ２）段階は少なくとも１つの行単位でインターリーブしたり、セクタの少なくとも一部を単位でインターリーブしうる。
【００１０】
また、前記目的は、光情報貯蔵媒体にメインデータを記録する方法において、（ａ）メインデータをエラー訂正符号化して第１及び第２エラー訂正ブロックを生成する段階と、（ｂ）前記第１エラー訂正ブロックの最初のセクタの識別子を最初の識別子として配し、前記第２エラー訂正ブロックの最初のセクタの識別子を次の識別子として配し、前記第１エラー訂正ブロックの２番目のセクタの識別子を次の識別子として配し、前記第２エラー訂正ブロックの２番目のセクタの識別子を次の識別子として配し、前記第１及び第２エラー訂正ブロックの残りセクタに対してその識別子を同一に配する段階と、（ｃ）前記第１及び第２エラー訂正ブロックの最初のセクタに属するエラー訂正符号化されたメインデータは配された最初の識別子及び次の識別子に順次に対応するようにインターリーブし、前記第１及び第２エラー訂正ブロックの２番目のセクタに属するエラー訂正符号化されたメインデータは配された後、２つの識別子に対応するようにインターリーブし、前記第１及び第２エラー訂正ブロックの残りのセクタに属するエラー訂正符号化されたメインデータも同様にインターリーブして記録ブロックを生成する段階とを含むことを特徴とするデータ記録方法によっても達成される。
【００１１】
前記（ｂ）段階は前記識別子を一定の間隔をおいて配し、前記（ｃ）段階は少なくとも１つの行単位でインターリーブしたり、セクタの少なくとも一部を単位でインターリーブすることが望ましい。
一方、本発明の他の分野によれば、前記目的は、光情報貯蔵媒体にメインデータを記録する記録装置において、メインデータをエラー訂正符号化してエラー訂正ブロックを複数個生成するＥＣＣエンコーダと、前記生成されたエラー訂正ブロックを各々構成する複数個のセクタの識別子が一定の間隔をおいて配された記録ブロックを生成するインターリーバと、生成された記録ブロックを変調する変調部と、変調された記録ブロックを記録する記録部とを含むことを特徴とするデータ記録装置によっても達成される。
【００１２】
前記インターリーバは前記エラー訂正ブロックが均等に選択されるように順次に抽出された前記識別子が一定の間隔に１つずつ配し、配された各識別子に対応するセクタに属するエラー訂正符号化されたメインデータをインターリーブし、特に少なくとも１つの行単位でインターリーブしたり、セクタの少なくとも一部を単位でインターリーブしうる。
【００１３】
また、前記目的は、光情報貯蔵媒体にメインデータを記録する装置において、メインデータをエラー訂正符号化して第１及び第２エラー訂正ブロックを生成するＥＣＣエンコーダと、前記第１エラー訂正ブロックの最初のセクタの識別子を最初の識別子として配し、前記第２エラー訂正ブロックの最初のセクタの識別子を次の識別子として配し、前記第１エラー訂正ブロックの２番目のセクタの識別子を次の識別子として配し、前記第２エラー訂正ブロックの２番目のセクタの識別子を次の識別子として配し、前記第１及び第２エラー訂正ブロックの残りのセクタに対してその識別子を同一に配し、前記第１及び第２エラー訂正ブロックの最初のセクタに属するエラー訂正符号化されたメインデータは配された最初の識別子及び次の識別子に順次に対応するようにインターリーブし、前記第１及び第２エラー訂正ブロックの２番目のセクタに属するエラー訂正符号化されたメインデータは配された後、２つの識別子に対応するようにインターリーブし、前記第１及び第２エラー訂正ブロックの残りのセクタに属するエラー訂正符号化されたメインデータも同様にインターリーブして記録ブロックを生成するインターリーバと、前記記録ブロックを変調する変調部と、変調された記録ブロックを記録する記録部とを含むことを特徴とするデータ記録装置によっても達成される。
【発明の効果】
【００１４】
後述するように本発明によれば、高密度記録媒体に適用可能にデータの記録/読出においてエラー訂正率がさらに高い光情報貯蔵媒体、データ記録装置及びデータ記録方法が提供される。また、記録ブロックに各セクタの識別子を一定の間隔に配することによってエラー発生率がさらに低く、かつメインデータを高速で探索しうる。さらに、前述した実施形態によれば既存のＤＶＤフォーマットと互換可能で、かつエラー訂正率がさらに高い光情報貯蔵媒体、データ記録装置及びデータ記録方法が提供される。また、本発明を用いるシステムには、磁気ディスクおよび光ディスク、ＲＡＭ、ＲＯＭ、搬送波媒体等のような固定記憶装置あるいは移動可能記憶装置であり、それらによって本発明の処理とデータ構造を記憶して配付することができるものが含まれることを理解されたい。また、その運用も、例えばインターネットのようなネットワークを通してダウンロードすることで配付することができる。
【発明を実施するための最良の形態】
【００１５】
以下、添付された図面に基づいて本発明の望ましい実施形態を詳しく説明する。
図１Ａ及び図１Ｂは本発明の望ましい実施形態に係るデータ記録装置を説明するためのブロック図である。
【００１６】
図１Ａ及び図１Ｂを参照すれば、データ記録装置はＥＣＣエンコーディング部１、変調部３、及び記録部５を含む。ＥＣＣ（Ｅｒｒｏｒ Ｃｏｒｒｅｃｔｉｏｎ Ｃｏｄｅ）エンコーディング部１はＥＣＣエンコーダ１１とインターリーバ１２とを具備する。ＥＣＣエンコーダ１１は外部から入力されたメインデータを所定のエンコーディング方式によってエラー訂正符号化（以下、「ＥＣＣエンコーディング」と称する）する。インターリーバ１２はＥＣＣエンコーディングされたメインデータを本発明によってインターリーブして記録ブロックを生成する。「インターリーブ」とは、エラー訂正効率を高めるためのものであって、ＥＣＣブロック内で隣接して配されるメインデータを物理的に光ディスク上で散布して記録させたり、物理的に隣接して記録されるメインデータをＥＣＣブロック内に散布させる所定の方式をいう。「インターリーブ」を通じてバーストエラー（ｂｕｒｓｔ ｅｒｒｏｒ）が非常に効率よく訂正されうる。但し、本発明に係る具体的な「インターリーブ」方式は後述する。
【００１７】
変調部３はエンコーディング部により得られた記録ブロックを所定変調方式によって変調する。本実施形態で採用された変調方式はＥＦＭ＋（Ｅｉｇｈｔ ｔｏ Ｆｏｕｒｔｅｅｎ Ｍｏｄｕｌａｔｉｏｎ ｐｌｕｓ）である。すなわち、記録ブロックを１バイト当り１６ビットコードに変調する方式である。記録部５は変調された記録ブロックを光ディスク１００に記録する。光ディスク１００に記録する時には変調されたビット列を本実施形態によってＮＲＺＩ（Ｎｏｎ Ｒｅｔｕｒｎ Ｚｅｒｏ Ｉｎｖｅｒｓｉｏｎ）に変換したチャンネルビットパルス列を記録する。ここで、チャンネルビットパルス列を記録するための変換方式は多様に変更できる。
【００１８】
図２Ａ及び２Ｂは本発明の一実施形態に係るエラー訂正ブロックのフォーマットの概略図である。
図２Ａを参照すれば、エラー訂正ブロックは行方向に１８２バイト、列方向に２０８バイトのデータで構成される。行方向には１７２バイトのメインデータと１０バイトの内部パリティが配され、列方向には１６個のセクタと１６バイトの外部パリティが配される。各セクタは列方向に１２バイトが配される。ここで、各コードワードはリード−ソロモンプロダクトコードにより得られる。すなわち、各行はＲＳ（１８２、１７２、１１）コードであり、各列はＲＳ（２０８、１９２、１７）コードである。ここで、１８２と２０８は全体コードワードの大きさを、１７２と１９２はメインデータの大きさを、１１と１７はパリティ数に１を足した数を各々意味する。リード−ソロモンプロダクトコードは多重エラーを訂正する強力なコードと知られており、特にＤＶＤに採用されたコードであるためにＤＶＤとの互換性のために選択される。但し、採用されるコードは必要に応じて多様に変更しうる。同様に、エラー訂正ブロックの大きさ及びパリティに割当てられるバイト数も多様に変更しうる。
【００１９】
図２Ｂを参照すれば、各セクタには１２バイトの識別子ＩＤ及び４バイトのエラー検出用パリティＥＤＣ（Ｅｒｒｏｒ Ｄｅｔｅｃｔｉｏｎ ａｎｄ Ｃｏｒｒｅｃｔｉｏｎ）が備えられている。識別子ＩＤには対応セクタに含まれたメインデータの住所が記録されている。したがって、識別子ＩＤを通じてメインデータを探索可能になる。
【００２０】
図３は本発明の一実施形態によってブロック内のインターリーブされた図２Ａのエラー訂正ブロックの概略図である。
図３を参照すれば、本実施形態に係るエラー訂正ブロックはブロック内インターリーブされている。換言すれば、ＤＶＤフォーマットに定義された行−インターリーブと同一に１６バイトの外部パリティを各セクタの端部に１行ずつ挿入する。これによりエラー訂正ブロックをそのまま記録する場合に生じる多様な不均衡（外部パリティブロックの相異性により生じる）を解消可能となる。
【００２１】
本実施形態で採用されたブロック内のインターリーブはＤＶＤとの互換性及びエラー訂正ブロックに含まれるデータの均質性を考慮したが、場合に応じて採用しないこともある。
図４は本発明に係るインターリーブ方式を説明するためのエラー訂正ブロックＡ及びＢのフォーマットの概略図である。
図４を参照すれば、図２及び図３を通じて前述したように、エラー訂正ブロックＡはＡ１、‥、Ａ１６セクタで、エラー訂正ブロックＢはＢ１、‥、Ｂ１６セクタで構成される。各セクタは識別子ＩＤを含む。また、各セクタには割当てられた識別子ＩＤに対応するメインデータが配列される。換言すれば、識別子ＩＤの配列順序及びメインデータのセクタ単位配列順序は同一である。
【００２２】
一方、エラー訂正ブロックＡ及びＢがブロック間インターリーブされて１つの記録ブロックを生成すると仮定すれば、記録ブロックでの識別子ＩＤ配列順序は図４で示されたようになる。すなわち、記録ブロック内でエラー訂正ブロックＡ及びＢに属する各セクタの識別子は次の順序に、すなわち対応エラー訂正ブロックが交互に選択されるように交番的に配される。
（１）Ａ１の識別子⇒（２）Ｂ１の識別子⇒（３）Ａ２の識別子⇒（４）Ｂ２の識別子⇒（５）Ａ３の識別子⇒（６）Ｂ３の識別子⇒、‥、⇒（３１）Ａ１６の識別子⇒（３２）Ｂ１６の識別子
【００２３】
図５は本発明に係る記録ブロックのフォーマットの概略図である。
図５を参照すれば、記録ブロックは図４のエラー訂正ブロックＡ及びＢに基づいてブロック間インターリーブされて得られたものである。行方向に２０８×２バイト、列方向に１８２バイトの大きさを有する。記録ブロック内には図４のエラー訂正ブロックＡに含まれた１６個のセクタＡ１、‥、Ａ１６とエラー訂正ブロックＢに含まれた１６個のセクタＢ１、‥、Ｂ１６がインターリーブされて生成された新しい３２個のセクタが配列されている。特に、各セクタの最初の行には各セクタの識別子ＩＤが含まれた行−コードワードが配されている。すなわち、記録ブロックの識別子は図４のように、エラー訂正ブロックＡ及びＢに含まれるセクタの識別子が交互に配された順序に配列される。
【００２４】
図６は本発明によってブロック間インターリーブされた図５の記録ブロックの一例である。
図６を参照すれば、記録ブロックの最初のセクタは識別子ＩＤが含まれた行−コードワード、エラー訂正ブロックＡの最初のセクタＡ１の上端１／２に属する行−コードワード（エラー訂正符号化されたメインデータ）及びエラー訂正ブロックＢの最初のセクタＢ１の上端１／２に属する行−コードワード（エラー訂正符号化されたメインデータ）がインターリーブされている。インターリーブ方式は多様に構成されうる。具体的に、エラー訂正符号化されたメインデータは少なくとも１つの行を単位でインターリーブされたり、セクタの少なくとも一部を単位でインターリーブされうる。
【００２５】
同様に、記録ブロックの２番目のセクタは識別子ＩＤが含まれた行−コードワード、エラー訂正ブロックＡの最初のセクタＡ１の下端１／２に属する行−コードワード、及びエラー訂正ブロックＢの最初のセクタＢ１の下端１／２に属する行−コードワードがインターリーブされている。以後のセクタも同じ方式で構成される。
図７は本発明に係る記録ブロックにエラー訂正可能な最大エラーが生じた時の概略図である。
【００２６】
各エラー訂正ブロックＡ及びＢは列方向に１６バイトのエラーを訂正可能なので、図７に示されたように、エラー訂正可能な最大エラー発生範囲はセクタＡ１の識別子ＩＤが配された１行、セクタＡ１の６行、セクタＢ１の６行、セクタＢ１の識別子ＩＤが配された１行、セクタＡ１の残り６行、セクタＢ１の残り６行、セクタＡ２の識別子ＩＤが配された１行、セクタＡ２の２行、セクタＢ２の３行にエラーが生じた場合となる。すなわち、エラー訂正ブロックＡに対しては１＋６＋６＋１＋２＝１６行、エラー訂正ブロックＢに対しては６＋１＋６＋３＝１６行にエラーが生じたものと見なされるからである。したがって、エラーが生じた行の総数は３２行である。これをデータの大きさから見れば３２×１８２バイトである。
【００２７】
図８は図７の最大エラーが生じた記録ブロックを各エラー訂正ブロックＡ及びＢで再配列した時の概略図である。
図８Ａは最大エラーが生じた記録ブロックをデインターリーブして生成されたエラー訂正ブロックＡの概略図であり、図８Ｂは最大エラーが生じた記録ブロックをデインターリーブして生成されたエラー訂正ブロックＢの概略図である。エラー訂正ブロックＡに発生されたエラーは総１６バイトであり、エラー訂正ブロックＢに発生されたエラーも総１６バイトであることがわかる。すなわち、各エラー訂正ブロックＡ及びＢは列方向に１６バイトのエラーを訂正可能なために生じた各エラーは訂正できる。
【００２８】
図９Ａ及び図９Ｂは本発明に係るデータ再生装置のブロック図である。
図９Ａを参照すれば、データ再生装置は読出部１３、復調部１２及びＥＣＣデコーディング部１１を含む。読出部１３は本発明によってデータが記録された光ディスク９００からデータを読出す。復調部１２は読出されたデータを復調する。復調方式は変調方式によって決定される。
【００２９】
ＥＣＣデコーディング部１１は復調されたデータ、すなわち記録ブロックをＥＣＣデコーディングする。具体的に、図９Ｂを参照すればＥＣＣデコーディング部１１はデインターリーバ１１１及びＥＣＣデコーダ１１２を具備する。デインターリーバ１１１は図１Ｂのインターリーバ１２の逆順に記録ブロックをデインターリーブして複数個のエラー訂正ブロックを生成する。ＥＣＣデコーダ１１２は生成されたエラー訂正ブロックに採用されたコードによってメインデータでデコーディングして出力する。
前述したような構成によって本発明に係るデータ記録方法を説明すれば次の通りである。
【００３０】
図１０は本発明に係るデータ記録方法を概略的に説明するためのフローチャートである。
図１０を参照すれば、ＥＣＣエンコーダ１１はメインデータをエラー訂正符号化してエラー訂正ブロックを複数個生成する（１００１段階）。
インターリーバ１２は生成されたエラー訂正ブロックを各々構成する複数個のセクタの識別子が一定の間隔をおいて交互に配された記録ブロックを生成する（１００２段階）。具体的に、ことエラー訂正ブロックの識別子と残りのエラー訂正ブロックの識別子を一定の間隔をおいて前記記録ブロックに順次に１つずつ配する。配置順序はエラー訂正ブロックが交互に、かつ各々順次に選択されるように決まる。配された各識別子に対応するセクタに属するエラー訂正符号化されたメインデータをインターリーブして記録ブロックを生成する。この際、インターリーブは少なくとも１つの行を単位で、またはセクタの少なくとも一部を単位で行われる。
【００３１】
変調部３は記録ブロックを変調し（１００３段階）、記録部５は変調された記録ブロックを光ディスク１００に記録する（１００４段階）。
図１１は本発明の望ましい実施形態に係るデータ記録方法を説明するためのフローチャートである。
図１１を参照すれば、ＥＣＣエンコーダ１１はメインデータをエラー訂正符号化して第１及び第２エラー訂正ブロックを生成する（１１０１段階）。
【００３２】
インターリーバ１２は前記第１エラー訂正ブロックの最初のセクタの識別子を最初の識別子として配し（１１０２−１段階）、前記第２エラー訂正ブロックの最初のセクタの識別子を次の識別子として配し（１１０２−２段階）、前記第１エラー訂正ブロックの２番目のセクタの識別子を次の識別子として配し（１１０２−３段階）、前記第２エラー訂正ブロックの２番目のセクタの識別子を次の識別子として配し（１１０２−４段階）、前記第１及び第２エラー訂正ブロックの残りのセクタに対する識別子を同一な順序に配する（１１０２−５段階）。ここで、第１及び第２エラー訂正ブロックの最初のセクタに属するエラー訂正符号化されたメインデータは配された最初の識別子及び次の識別子に順次に対応するようにインターリーブし（１１０３−１段階）、前記第１及び第２エラー訂正ブロックの２番目のセクタに属するエラー訂正符号化されたメインデータは次の２つの識別子に対応するようにインターリーブし（１１０３−２段階）、前記第１及び第２エラー訂正ブロックの残りのセクタに属するエラー訂正符号化されたメインデータも同様にインターリーブし（１１０３−３段階）、記録ブロックを生成する。
変調部３は記録ブロックを変調し（１１０４段階）、記録部５は変調された記録ブロックを光ディスク１００に記録する（１１０５段階）。
【図面の簡単な説明】
【００３３】
【図１Ａ】本発明の望ましい実施形態に係るデータ記録装置を説明するためのブロック図である。
【図１Ｂ】本発明の望ましい実施形態に係るデータ記録装置を説明するためのブロック図である。
【図２Ａ】本発明の一実施形態に係るエラー訂正ブロックのフォーマットの概略図である。
【図２Ｂ】本発明の一実施形態に係るエラー訂正ブロックのフォーマットの概略図である。
【図３】本発明の一実施形態によってブロック内のインターリーブされた図２Ａのエラー訂正ブロックの概略図である。
【図４】本発明に係わるインターリーブ方式を説明するためのエラー訂正ブロックＡ及びＢのフォーマットの概略図である。
【図５】本発明に係わる記録ブロックのフォーマットの概略図である。
【図６】本発明によってブロック間インターリーブされた図５の記録ブロックの一例を示す図面である。
【図７】本発明に係わる記録ブロックにエラー訂正可能な最大のエラーが生じた時の概略図である。
【図８Ａ】図７の最大のエラーが生じた記録ブロックを各エラー訂正ブロックＡ及びＢで再配列した時の概略図である。
【図８Ｂ】図７の最大のエラーが生じた記録ブロックを各エラー訂正ブロックＡ及びＢで再配列した時の概略図である。
【図９Ａ】本発明に係わるデータ再生装置のブロック図である。
【図９Ｂ】本発明に係わるデータ再生装置のブロック図である。
【図１０】本発明に係るデータ記録方法を概略的に説明するためのフローチャートである。
【図１１】本発明の望ましい実施形態に係るデータ記録方法を説明するためのフローチャートである。
【符号の説明】
【００３４】
１，２１…ＥＣＣエンコーディング部
３…変調部
５…記録部
１１，１１２…ＥＣＣ
１２…インターリーバ
２２…復調部
２３…読出部
１１１…デインターリーバ
【図１Ａ】
2004273113.tif 000003
【図１Ｂ】
2004273113.tif 000004
【図２Ａ】
2004273113.tif 000005
【図２Ｂ】
2004273113.tif 000006
【図３】
2004273113.tif 000007
【図４】
2004273113.tif 000008
【図５】
2004273113.tif 000009
【図６】
2004273113.tif 000010
【図７】
2004273113.tif 000011
【図８Ａ】
2004273113.tif 000012
【図８Ｂ】
2004273113.tif 000013
【図９Ａ】
2004273113.tif 000014
【図９Ｂ】
2004273113.tif 000015
【図１０】
2004273113.tif 000016
【図１１】
2004273113.tif 000017